(57)【要約】【課題】記録部の記録領域における粉状の異物の蓄積を防ぐ記録装置を提供する。【解決手段】記録領域上の空間と、搬送領域上の空間とにおいて吸引を行う吸引手段の吸引動作を制御する。その制御では、記録を行わない場合には、記録を行う場合よりも、記録領域における風速が大きくなるよう吸引手段の吸引動作を制御する。【選択図】図６
2020124861.tif 000002
【特許請求の範囲】
【請求項１】
搬送方向に搬送される記録媒体に、記録領域において画像を記録する記録手段と、
前記搬送方向において前記記録領域よりも上流で、前記記録媒体を搬送する搬送手段と、
前記記録領域上の空間と、前記搬送手段の搬送領域上の空間とにおいて吸引を行う吸引手段と、
前記記録手段による記録を行わない場合には、前記記録手段による記録を行う場合よりも、前記記録領域における風速が大きくなるよう前記吸引手段の吸引動作を制御する制御手段と、
を有することを特徴とする記録装置。
【請求項２】
前記制御手段はさらに、前記記録手段により記録を行わない場合、前記記録手段により記録を行う場合よりも、前記吸引手段の吸引対象領域を広くすることにより吸引量を大きくすることを特徴とする請求項１に記載の記録装置。
【請求項３】
前記搬送手段は、前記記録媒体を搬送する搬送ローラーを含み、
前記記録手段により記録を行う場合の前記吸引手段の吸引対象領域は、前記搬送ローラーの周辺の領域であることを特徴とする請求項２に記載の記録装置。
【請求項４】
前記記録手段により記録を行わない場合の前記吸引手段の吸引対象領域は、前記記録手段による記録領域を含む領域であることを特徴とする請求項３に記載の記録装置。
【請求項５】
前記吸引手段は、第１のファンと第２のファンを備え、
前記制御手段は、前記記録手段により記録を行う場合、前記第１のファンを駆動し、前記記録手段により記録を行わない場合、前記第１のファン及び前記第２のファンを駆動する、
ことを特徴とする請求項１乃至４のいずれか１項に記載の記録装置。
【請求項６】
前記第２のファンの吸引力は、前記第１のファンの吸引力よりも大きいことを特徴とする請求項５に記載の記録装置。
【請求項７】
前記吸引手段は、ファンと、第１の吸引口と、第２の吸引口と、前記ファンからの吸引力を、前記第１の吸引口および前記第２の吸引口、又は、前記第１の吸引口のみ、に伝達する切り替え手段と、を備え、
前記制御手段は、前記記録手段により記録を行う場合、前記ファンからの吸引力を前記第１の吸引口のみに伝達させるよう前記切り替え手段を制御し、前記記録手段により記録を行わない場合、前記ファンからの吸引力を前記第１の吸引口および前記第２の吸引口に伝達させるよう前記切り替え手段を制御する、
ことを特徴とする請求項１乃至４のいずれか１項に記載の記録装置。
【請求項８】
前記記録手段により記録を行わない場合、前記制御手段が前記吸引手段の吸引動作を制御する前に、前記記録手段を前記記録を行わない待機位置に移動させる第２制御手段、をさらに備えることを特徴とする請求項１乃至７のいずれか１項に記載の記録装置。
【請求項９】
前記制御手段は、前記記録媒体の種類に応じて、前記吸引手段の吸引動作の制御を行うことを特徴とする請求項１乃至８のいずれか１項に記載の記録装置。
【請求項１０】
前記記録媒体の種類と、前記吸引手段の吸引動作を実行可否とが対応づけられた情報を記憶する記憶手段、をさらに備え、
前記制御手段は、前記記憶手段に記憶された前記情報に基づいて、前記吸引手段の吸引動作の制御を行う、
ことを特徴とする請求項９に記載の記録装置。
【請求項１１】
前記記録手段は、インク滴を吐出することにより、前記記録媒体に画像を記録することを特徴とする請求項１乃至１０のいずれか１項に記載の記録装置。
【請求項１２】
記録媒体に画像を記録する記録手段と、
前記記録手段の記録領域の上流においてシートを搬送する搬送手段と、
前記記録領域上の空間と、前記搬送手段の搬送領域上の空間とにおいて粉状の異物を吸引して除去する吸引手段と、
前記吸引手段の吸引動作を制御する制御手段と、を備え、
前記制御手段は、前記記録手段により記録を行わない場合には前記記録手段により記録を行う場合よりも前記記録手段による記録領域における風速が大きくなるよう、前記吸引手段の吸引動作を制御する、
ことを特徴とする記録装置。
【請求項１３】
搬送方向に搬送される記録媒体に、記録領域において画像を記録する記録手段と、
前記搬送方向において前記記録領域よりも上流で、前記記録媒体を搬送する搬送手段と、
前記記録領域上の空間と、前記搬送手段の搬送領域上の空間とにおいて吸引を行う吸引手段と、を備える記録装置において実行される制御方法であって、
前記吸引手段の吸引動作を制御する制御工程、を有し、
前記制御工程では、前記記録手段による記録を行わない場合には、前記記録手段による記録を行う場合よりも、前記記録領域における風速が大きくなるよう前記吸引手段の吸引動作を制御する、
ことを特徴とする制御方法。
【請求項１４】
記録媒体に画像を記録する記録手段と、
前記記録手段の記録領域の上流においてシートを搬送する搬送手段と、
前記記録領域上の空間と、前記搬送手段の搬送領域上の空間とにおいて粉状の異物を吸引して除去する吸引手段と、を備える記録装置において実行される制御方法であって、
前記吸引手段の吸引動作を制御する制御工程、を有し、
前記制御工程では、前記記録手段により記録を行わない場合には、前記記録手段により記録を行う場合よりも前記記録手段による記録領域における風速が大きくなるよう、前記吸引手段の吸引動作を制御する、
ことを特徴とする制御方法。
【発明の詳細な説明】
【技術分野】
【０００１】
本発明は、記録ヘッドからインク滴を吐出することにより画像を記録する記録装置及び制御方法に関する。
【背景技術】
【０００２】
記録媒体である用紙に対して記録ヘッドからインク滴を吐出し、画像を形成するインクジェット記録装置は様々な用途で広く用いられている。その中でも、記録領域の幅に対応した記録ヘッドを用いるタイプのインクジェット記録装置では、用紙が連続的に搬送されるので、より高速な印刷が可能であり、産業用として使用されることが多い。用紙を搬送する際、ローラーや搬送ベルト等が用いられる。そのような構成においては、ローラーと用紙の摩擦によって紙粉が発生する。発生した紙粉は、用紙の搬送によって生じる搬送気流により装置内で上昇し、記録ヘッドの吐出ノズルへ付着することがある。吐出ノズルに紙粉が付着すると、インク滴を吐出するノズルを塞いでしまうことになる。その結果、インク滴の吐出を妨げられ、印刷画像に白抜け部分が発生する。そのような不吐を防止するには、搬送中に発生する紙粉をできるだけ多く除去することが必要である。特許文献１では、最も紙粉が発生するローラー周辺の紙粉を除去することで、記録ヘッドの吐出ノズルへの紙粉付着を抑制する技術が記載されている。
【先行技術文献】
【特許文献】
【０００３】
【特許文献１】特開２０１６−１６８７８１号公報
【発明の概要】
【発明が解決しようとする課題】
【０００４】
特許文献１では、用紙搬送時、気流生成装置の位置から記録ヘッド上流までの区間の吸引を行っている。しかしながら、記録ヘッドの吐出領域や、記録ヘッドの後段側の領域にも紙粉は存在する。従って、その領域に対して吸引を行わないまま記録装置の使用を続けると、記録ヘッド領域で紙粉が蓄積してしまう。その結果、用紙の搬送によって生じる気流による紙粉の装置内での上昇（舞い上がり）が容易になり、記録ヘッドの吐出ノズルへと付着させる可能性を高めてしまう。
【０００５】
本発明の目的は、このような従来の問題点に鑑み、記録部の記録領域における粉状の異物の蓄積を防ぐ記録装置及び制御方法を提供することを目的とする。
【課題を解決するための手段】
【０００６】
上記課題を解決するため、本発明に係る記録装置は、搬送方向に搬送される記録媒体に、記録領域において画像を記録する記録手段と、前記搬送方向において前記記録領域よりも上流で、前記記録媒体を搬送する搬送手段と、前記記録領域上の空間と、前記搬送手段の搬送領域上の空間とにおいて吸引を行う吸引手段と、前記記録手段による記録を行わない場合には、前記記録手段による記録を行う場合よりも、前記記録領域における風速が大きくなるよう前記吸引手段の吸引動作を制御する制御手段とを有することを特徴とする。
【発明の効果】
【０００７】
本発明によれば、記録部の記録領域における粉状の異物の蓄積を防ぐことができる。
【図面の簡単な説明】
【０００８】
【図１】記録装置の構成を示す図である。
【図２】記録装置の吸引部付近の構成を示す図である。
【図３】印刷時の吸引対象領域を示す図である。
【図４】非印刷時の吸引対象領域を示す図である。
【図５】記録装置の制御系のブロック構成を示す図である。
【図６】吸引動作の切替えタイミングを制御する処理を示すフローチャートである。
【図７】記録装置の吸引部付近の構成を示す図である。
【図８】記録装置の制御系のブロック構成を示す図である。
【図９】吸引動作の切替えタイミングを制御する処理を示すフローチャートである。
【図１０】記録媒体の種類と、ファンの稼働／非稼働とを対応づけたテーブルを示す図である。
【発明を実施するための形態】
【０００９】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。なお、同一の構成要素には同一の参照番号を付して、説明を省略する。
【００１０】
なお、この明細書において、「記録」（画像形成とも称する）とは、文字、図形等有意の情報を形成する場合のみに限られない。有意無意を問わず、また人間が視覚で知覚し得るように顕在化したものであるか否かを問わず、記録媒体上に画像、模様、パターン等を形成する場合、または記録媒体の加工を行う場合も、「記録」を表すものとする。
【００１１】
また、「記録媒体」（シートとも称する）とは、本実施形態で扱う用紙のみならず、広く、プラスチック・フィルム、金属板、ガラス、セラミックス等、インクを受容可能なものも表すものとする。さらに、「インク」とは、上記「記録」の定義と同様、広く解釈されるべきもので、記録媒体上に付与されることによって、画像、模様、パターン等の形成または記録媒体の加工に供され得る液体、或いはインクの処理（例えば記録媒体に付与されるインク中の色剤の凝固または不溶化）に供され得る液体を表すものとする。
【００１２】
［第１実施形態］
図１は、記録媒体である用紙にインク滴を吐出して記録を行う記録装置１００の装置側面図である。図１では、搬送方向は、右から左への方向となる。記録装置１００は、用紙を積載する給紙部１０１と、給紙部１０１から搬送されてきた用紙に記録を行う記録部１０３とを含む。給紙部１０１は、トレイ１０９に積載された用紙を上部から１枚ずつピックアップして記録部１０３へ搬送する搬送ローラー１０５と、装置内の空気を機外に排出し、用紙と搬送ローラー１０５の摩擦により生じる紙粉等の粉状異物（以下、紙粉とする）を除去する部分吸引ファン１０６と、全体吸引ファン１０７とを備える。部分吸引ファン１０６と全体吸引ファン１０７は、記録装置１００の奥側に向かって並列に構成されている。また、記録部１０３は、用紙にインク滴を吐出する記録ヘッド１０４と、記録ヘッド１０４直下に用紙を搬送するための用紙搬送部１０２とを備える。
【００１３】
記録ヘッド１０４は、４色に各対応する記録ヘッドから構成されており、それぞれブラック（Ｋ）、シアン（Ｃ）、マゼンタ（Ｍ）、イエロー（Ｙ）の各色のインク滴が吐出される。図１では、上記の４色のみ示されているが、他のインク色や特色に対応する記録ヘッドがさらに設けられても良い。本実施形態では、特に断らない限り、４色の記録ヘッドを総称して記録ヘッド１０４と呼ぶ。記録ヘッド１０４には、複数のノズルが高精細に列状に設けられている。また、ノズル列が複数構成されることで高画質な画像の形成が可能である。また、記録ヘッド１０４は、ライン型記録ヘッドであり、図１の搬送ベルト１１０と直交する方向（図面に直交する方向）にインク滴を吐出するためのノズル列が設けられている。記録ヘッド１０４には、記録装置１００で搬送可能な最大サイズの用紙の幅よりも若干量広い領域に渡ってノズル列が設けられている。
【００１４】
用紙搬送部１０２には、用紙を載置して搬送する無端状の搬送ベルト１１０が設けられており、搬送ベルト１１０は、駆動軸１１２と従動軸１１１に架け渡され、駆動モーター１１３によって駆動軸１１２が回転することにより、搬送ベルト１１０もシート搬送方向に周回運動する。紙粉除去ブラシ１０８については図２で説明する。
【００１５】
図２は、図１の記録装置１００を上面から見た図である。図２に示すように、給紙部１０１は、搬送ローラー１０５と、搬送ローラー１０５周辺の搬送領域上の空間において紙粉を吸引するための吸引気流生成装置１０６（以下、部分吸引ファン１０６）と、装置内全体に渡る空間において紙粉を吸引するための吸引気流生成装置１０７（以下、全体吸引ファン１０７）と、吸引ダクト２０１と、紙粉除去部材１０８（以下、紙粉除去ブラシ１０８）とを備えている。吸引ダクト２０１は、図１では図示上省略している。紙粉除去ブラシ１０８は、給紙部１０１と記録部１０３の間に配置され、搬送される用紙表面を掃くことで用紙上の紙粉を除去する。紙粉除去ブラシ１０８の長さは、記録装置１００で搬送可能な最大サイズの用紙の幅と略同じに構成される。
【００１６】
部分吸引ファン１０６は、記録部１０３より上流で搬送ローラー１０５周辺の空間の空気を吸引するように構成され、吸引ダクト１０を介して吸引した空気を機外へ排出する。吸引ダクト２０１は、搬送ローラー１０５と部分吸引ファン１０６の間に風路を形成し、搬送ローラー１０５周辺の空間の空気を積極的に吸引する。全体吸引ファン１０７は、装置内全体に渡る空間の空気を吸引するように構成され、給紙部１０１の空間の空気だけでなく、紙粉除去ブラシ１１と外装（壁面）の間に存在する隙間から記録部１０３の記録領域上の空間の空気を吸引し、機外へ排出する。そのため、全体吸引ファン１０７は、部分吸引ファン１０６よりも強い吸引力（負圧）を発生するように、例えば、全体吸引ファン１０７により発生する風速の方が速くなるように構成される。本実施形態では、記録装置１００は、上記のように、目的の異なる２つの気流生成装置を備えている。
【００１７】
以下、図３を参照しながら、印刷時における吸引方法を説明する。
【００１８】
印刷時は、部分吸引ファン１０６のみを駆動させ、搬送ローラー１０５周辺の空間の空気を吸引する。その結果、印刷時には、搬送ローラー１０５と用紙の摩擦によって発生する紙粉を吸引して機外へ排出する。本実施形態では、印刷時に全体吸引ファン１０７を駆動しない。また、紙粉除去ブラシ１０８の存在により、印刷時には、記録ヘッド１０４のインク吐出領域では、部分吸引ファン１０６による吸引気流の発生が抑えられる。そのような構成により、印刷時に吸引気流によって記録部１０３で搬送気流が乱れ、その結果、紙粉が舞い上がって記録ヘッド１０４に付着することを防ぐことができる。
【００１９】
以下、図４を参照しながら、非印刷時における吸引方法を説明する。
【００２０】
非印刷時は、部分吸引ファン１０６と全体吸引ファン１０７を駆動させることで吸引量を増加し、装置内全体に渡る空間の空気を吸引する。その結果、非印刷時には、装置内に蓄積された紙粉を吸引して機外へ排出することができる。本実施形態では、非印刷時には、印刷時よりも高い吸引力による負圧を発生させ、吸引気流を記録ヘッド１０４の下流まで発生させる。そのような構成により、印刷時に吸引されなかった記録部１０３の紙粉を吸引することができる。なお、印刷時と非印刷時とで、それぞれの吸引量を実現できるのであれば、部分吸引ファン１０６と全体吸引ファン１０７は、図示されている位置以外の位置、例えば、搬送方向上側面壁に構成して、吸引ダクト２０１により気流を導くようにしても良い。
【００２１】
図５は、記録装置１００の制御部のブロック構成を示す図である。制御部５は、ＣＰＵ５００を含むコントローラ基板であり、給紙部１０１内に搭載され、記録装置１００を統括的に制御する。ＣＰＵ５００は、各ブロックを制御するプロセッサであり、例えば、プログラムＲＯＭ５０２に記憶された制御プログラムをワークＲＡＭ５０４に読み出して実行することにより、本実施形態の動作を実現する。イメージメモリ５０３は、例えば、外部のホストコンピュータからインタフェース５０１を介して有線通信や無線通信により受信した画像データを所定単位（例えばページ毎）で記憶する。操作パネル５０５は、例えば、タッチパネルやハードウェアキーを含み、ユーザからの指示や設定操作を受け付けたり、ユーザに対して各種インタフェース画面を表示する。
【００２２】
ＣＰＵ５００は、出力ポート５１１を介してモーター駆動部５１２を制御する。モーター駆動部５１２は、ＣＰＵ５００からの制御の下、各種のモーターを駆動する。ヘッドアップダウンモーター５１３は、記録ヘッド１０４の昇降動作を行うためのモーターである。ヘッドアップダウンモータ５１３は、例えば、記録ヘッド１０４を、回復処理を行うための位置まで昇降動作させるためのモーターである。搬送モータ５１４は、搬送ローラー１０５を回転させるためのモータである。キャッピングモーター５１５は、記録ヘッド１０４の吐出ノズルに対して不図示の回復装置にキャッピング動作を行わせるためのモーターである。ポンプモーター５１６は、不図示のインクタンクから記録ヘッド１０４にインクを供給させるためのポンプを駆動させるためのモーターである。メディア昇降モーター５１７は、トレイ１０９内に積載された用紙をピックアップ可能な位置まで移動させるためのモーターである。全体吸引ファンモーター５１８は、全体吸引ファン１０７を駆動するためのモーターである。部分吸引ファンモーター５１９は、部分吸引ファン１０６を駆動するためのモーターである。図５に示すモーターは一例であって、図示される以外のモーターが、モーター駆動部５１２により駆動されても良い。
【００２３】
ＣＰＵ５００は、記録ヘッド制御回路５０６を介して記録ヘッド５０７、５０８、５０９、５１０を制御する。記録ヘッド５０７、５０８、５０９、５１０は、記録ヘッド１０４に対応する。記録ヘッド制御回路５０６は、ＣＰＵ５００からの制御の下、例えばノズル駆動電流の制御により、吐出ノズルからのインク滴の吐出タイミングを制御する。
【００２４】
記録装置１００は、図５に示すブロック以外の構成を含んでも良い。例えば、記録装置１００がＭＦＰ（ＭｕｌｔｉＦｕｎｃｔｉｏｎａｌＰｒｉｎｔｅｒ）として構成される場合には、原稿台に載置された原稿を光学的に読み取るスキャナ部を含んでも良い。
【００２５】
以下、図６を参照しながら、吸引動作の切り替えタイミングを制御する処理を説明する。
【００２６】
図６は、本実施形態における吸引動作の切替えタイミングを制御する処理を示すフローチャートである。図６の各処理は、例えば、ＣＰＵ５００がプログラムＲＯＭ５０２に記憶されたプログラムをワークＲＡＭ５０４に読み出して実行することにより実現される。
【００２７】
Ｓ１では、ＣＰＵ５００は、インタフェース５０１を介して印刷対象の印刷データを受信する。Ｓ２では、ＣＰＵ５００の制御により、モーター駆動部５１２は、部分吸引ファンモーター５１９に駆動信号を送信することにより、部分吸引ファン１０６を駆動する。その結果、搬送ローラー１０５周辺の空間の空気の吸引が行われる。その際、全体吸引ファン１０７は、駆動しないようＣＰＵ５００により制御される。
【００２８】
Ｓ３では、部分吸引ファン１０６の駆動後、ＣＰＵ５００の制御により、モーター駆動部５１２は、搬送モーター５１４に駆動信号を送信することにより、給紙部１０１から記録部１０３へ用紙を搬送させる。Ｓ４では、ＣＰＵ５００の制御により、記録ヘッド制御回路５０６は、記録部１０３に搬送された用紙に対して、記録ヘッド１０４からインク滴を吐出させ、印刷を開始する。
【００２９】
Ｓ５では、ＣＰＵ５００は、印刷の終了判定を行う。ＣＰＵ５００は、例えば、印刷が実行された印刷枚数と、印刷データの印刷対象のページ数とに基づいて、印刷の終了判定を行う。印刷が終了していれば、Ｓ６に進み、ＣＰＵ５００の制御により、モーター駆動部５１２は、ヘッドアップダウンモータ５１３に駆動信号を送信することにより、記録ヘッド１０４を印刷位置から非印刷位置（待機位置）に移動させ、Ｓ７に進む。印刷が終了していなければ、Ｓ３からの処理を繰り返す。記録ヘッド１０４を非印刷位置に移動させることにより、装置内全体の吸引対象領域上の空間に対する吸引動作の効果を向上させることができる。
【００３０】
Ｓ７では、ＣＰＵ５００は、印刷後に行う吸引動作の吸引時間を、Ｓ１で受信した印刷データの印刷枚数に応じて算出する。例えば、ＣＰＵ５００は、式（１）に従って、吸引時間を算出する。
【００３１】
吸引時間ｎ（秒）  ＝  印刷枚数（枚）×０．０２４（吸引係数）・・・（１）
ここでの吸引係数とは、用紙を搬送時に発生する紙粉の吸引に最低限必要な時間を求めるための係数である。また、ＣＰＵ５００は、印刷後に行う吸引動作の吸引時間を、Ｓ４で実際に印刷された印刷枚数に応じて算出するようにしても良い。また、ＣＰＵ５０は、ジャム等により中断されることなく連続して印刷された連続印刷枚数に応じて算出するようにしても良い。
【００３２】
Ｓ８では、ＣＰＵ５００の制御により、モーター駆動部５１２は、全体吸引ファンモーター５１８に駆動信号を送信することにより、全体吸引ファン１０７を駆動させる。その際、部分吸引ファン１０６は、非印刷時であっても、ＣＰＵ５００の制御により吸引動作を継続している。
【００３３】
Ｓ９では、ＣＰＵ５００は、印刷後の吸引動作の終了判定を行う。例えば、連続２５００枚印刷された場合、Ｓ７では吸引時間は６０秒と算出される。その場合、ＣＰＵ５００は、Ｓ８での全体吸引開始から６０秒経過すると、Ｓ１０に進む。Ｓ１０では、ＣＰＵ５００の制御により、モーター駆動部５１２は、全体吸引ファンモーター５１８、部分吸引ファンモーター５１９に停止信号を送信することにより、部分吸引ファン１０６、全体吸引ファン１０７を停止させる。そして、Ｓ１では、ＣＰＵ５００の制御により、モーター駆動部５１２は、ヘッドアップダウンモータ５１３に駆動信号を送信することにより、記録ヘッド１０４を非印刷位置から印刷位置に移動させる。Ｓ１１の後、図６の処理を終了する。
【００３４】
以上のように、本実施形態では、印刷の実行状態に応じて、吸引動作を切り替えることで、装置内全体の空間の紙粉を適切に吸引することができる。
【００３５】
［第２実施形態］
以下、第２実施形態について第１実施形態と異なる点について説明する。図７は、図１の記録装置１００を上面から見た図である。以下、図７を参照しながら、本実施形態における給紙部１０２の吸引部の構成を説明する。
【００３６】
図７に示すように、給紙部１０２は、搬送ローラー１０５と、紙粉除去ブラシ１０８と、装置内の空間において紙粉を吸引するための吸引ファン７０５と、吸引ダクト７０４とを備えている。吸引ダクト７０４は、搬送ローラー１０５周辺の空間の空気を吸引する吸引口７０１と、装置内全体に渡る空間の空気を吸引する吸引口７０２と、吸引風路の切り替えが可能な部材７０３（以下、切り替え部材７０３）を備えている。切り替え部材７０３は、例えば、吸引ファン７０５により生じる吸引力を、吸引口７０１及び７０２、又は、吸引口７０１のみ、に選択的に伝達するように構成される。本実施形態では、ファンは吸引ファン７０５の１つであるので、吸引口７０２で発生する吸引力が吸引口７０１で発生する吸引力よりも大きくなるように、吸引口７０１及び７０２が構成される。
【００３７】
図８は、記録装置１００の制御部のブロック構成を示す図である。図８は、全体吸引ファンモーター５１８及び部分吸引ファンモーター５１９の代わりに、吸引ファンモーター８０１及び風路切り替えモーター８０２を構成する点で図５と異なる。
【００３８】
吸引ファン７０５は、吸引ファンモーター８０１によって制御される。切り替え部材７０３が風路切り替えモーター８０２によって吸引ダクト７０４を密閉するように切り替えられると、吸引ファン７０５は、吸引口７０１からのみの吸引が可能となる。一方、切り替え部材７０３が風路切り替えモーター８０２によって吸引ダクト７０４を開放するように切り替えられると、吸引口７０１と吸引口７０２の両方からの吸引が可能となる。
【００３９】
図６を参照しながら、本実施形態における吸引動作の切替えを説明する。図６のＳ２においては、ＣＰＵ５０の制御により、モーター駆動部５１９は、風路切り替えモーター８０２に駆動信号を送信することにより、吸引ダクト７０４を密閉するように切り替え部材７０３を切替える。その結果、印刷時において、搬送ローラー１０５周辺の空間の空気の吸引のみを行わせることができる。
【００４０】
図６のＳ８においては、ＣＰＵ５０の制御により、モーター駆動部５１９は、風路切り替えモーター８０２に駆動信号を送信することにより、吸引ダクト７０４を開放するように切り替え部材７０３を切替える。その結果、非印刷時において、搬送ローラー１０５周辺の空間の空気の吸引と、装置内全体に渡る空間の空気の吸引との両方を行うことができる。
【００４１】
以上のように、本実施形態では、印刷時には切り替え部材７０３を密閉させ、印刷終了時には切り替え部材７０３を開放して吸引を行う。そのような構成により、第１実施形態と同等の効果を得ることができる。また、本実施形態では、気流生成装置を複数個配置する必要がないので、第１実施形態に比べると、装置をより簡略化することができ、コストを削減することができる。
【００４２】
［第３実施形態］
以下、第３実施形態について第１及び第２実施形態と異なる点について説明する。図９は、本実施形態における吸引動作の切替えタイミングを制御する処理を示すフローチャートである。図９の各処理は、例えば、ＣＰＵ５００がプログラムＲＯＭ５０２に記憶されたプログラムをワークＲＡＭ５０４に読み出して実行することにより実現される。なお、本実施形態における吸引部の構成は、図２に示す構成であっても良いし、図７に示す構成であっても良い。
【００４３】
Ｓ２０では、ＣＰＵ５００は、インタフェース５０１を介して印刷対象の印刷データを受信する。Ｓ２１では、ＣＰＵ５００は、Ｓ２０で受信した印刷データに基づいて、ファンを稼働するか否かの判定を行う。ここで、印刷データは、印刷に関する設定情報を含むデータであり、例えば印刷ジョブでも良い。例えば、Ｓ２１では、ＣＰＵ５００は、印刷ジョブに含まれる印刷対象の記録媒体の情報と、図１０に示す記録媒体の情報とに基づいて、ファンを稼働するか否かを判定する。図１０に示すように、記録媒体は、推奨される記録媒体の種類（推奨媒体）、推奨されない記録媒体の種類（非推奨媒体）に大きく分類されており、推奨媒体として、マットコート紙、光沢紙、プラスチックカードが特定されている。また、非推奨媒体として、推奨媒体以外の記録媒体の他、紙粉が発生しない金属やガラスなど、「その他」の記録媒体も非推奨媒体として特定されている。例えば「その他」の記録媒体を搬送する場合、搬送によって紙粉は発生しないので、Ｓ２１では、ファンを稼働しないと判定される。その場合、ＣＰＵ５００は、Ｓ３３において記録媒体の搬送を行い、Ｓ３４において印刷を開始し、Ｓ３５において印刷を終了すると、図９の処理を終了する。
【００４４】
一方、Ｓ２１でファンを稼働すると判定された場合、Ｓ２２以降の処理が行われる。Ｓ２２〜Ｓ２６は、図６のＳ２〜Ｓ６における説明と同様であるので、それらの説明を省略する。
【００４５】
Ｓ２７において、ＣＰＵ５００は、図１０に示す記録媒体の情報に基づいて、印刷後の吸引動作としてファンを稼働するか否かを判定する。例えば、プラスチックカードを記録媒体として搬送する場合、他の種類の記録媒体と比べて紙粉の発生は著しく少ない。そのため、Ｓ２７では、ファンを稼働しないと判定する。つまり、吸引動作は印刷時のみとする。そして、Ｓ３２において、ＣＰＵ５００の制御により、モーター駆動部５１２は、ヘッドアップダウンモータ５１３に駆動信号を送信することにより、記録ヘッド１０４を非印刷位置から印刷位置に移動させる。Ｓ３２の後、図９の処理を終了する。
【００４６】
一方、Ｓ２７でファンを稼働すると判定された場合、Ｓ２８以降の処理が行われる。Ｓ２８〜Ｓ３２は、図６のＳ７〜Ｓ１１における説明と同様であるので、それらの説明を省略する。
【００４７】
以上のように、本実施形態では、記録媒体の種類に応じて、ファンの稼働の実行可否を制御する。そのような構成により、消費電力をより低減することができる。
【００４８】
また、本実施形態では、Ｓ２１及びＳ２７のファンの稼働の可否の判定において、以下のように構成しても良い。例えば、ＣＰＵ５００は、Ｓ２０で受信した印刷ジョブの設定から、印刷対象の印刷枚数のうち、「その他」の記録媒体が割合が所定以上であれば、紙粉の発生が著しく少ないと判断し、ファンを稼働しないと判定するようにしても良い。
【００４９】
また、例えば、ＣＰＵ５００は、Ｓ２０で受信した印刷ジョブの設定から、印刷対象の印刷枚数が所定数以上である場合に、Ｓ２１及びＳ２７のファンの稼働の可否の判定を行うようにしても良い。そして、そもそも印刷枚数が所定数未満で少ない場合には、部分吸引ファン１０６や全体吸引ファン１０７の稼働を行わないようにしても良い。
【符号の説明】
【００５０】
１００  記録装置：  １０１  給紙部：  １０３  記録部：  １０４  記録ヘッド：  １０６  部分吸引ファン：  １０７  全体吸引ファン：  ５００  ＣＰＵ
【図１】
2020124861.tif 000003
【図２】
2020124861.tif 000004
【図３】
2020124861.tif 000005
【図４】
2020124861.tif 000006
【図５】
2020124861.tif 000007
【図６】
2020124861.tif 000008
【図７】
2020124861.tif 000009
【図８】
2020124861.tif 000010
【図９】
2020124861.tif 000011
【図１０】
2020124861.tif 000012